(57)【要約】  通信技術により、異なる基地局によって送信される支配干渉信号を受けるＵＥとの効率的な通信が可能になる。開示した干渉消去技術、すなわちＵＥ中心およびネットワーク中心の双方は、特に、既存の基地局におけるＰＨＹおよびＭＡＣレイヤの変化を生じさせることが好ましくないとき、または、困難であるときに効果的である。ＵＥ中心フレームワークは、主として、ピコまたはフェムトセルを含めるための、ＵＥにより実現されるアプローチに関連する。基地局とＵＥとの間のネットワーク中心フレームワーク閉ループ調整が干渉を緩和し、これによりネットワーク性能が向上する。特に、「犠牲」ＵＥが提供する、干渉リンクについての情報と、「犠牲」ＵＥ自体の消去の性能とを含む情報に応答して、ダウンリンクパイロットおよび制御電力を調整し、トラフィックデータレートを調整することによって、干渉基地局は「犠牲」ＵＥを助けることができる。【選択図】図１
2011527853.tif 000002
【特許請求の範囲】
【請求項１】
被担当ＵＥにおけるワイヤレスセル間干渉消去を促進するネットワークのための方法において、
第２の識別子によりエンコードされた、干渉する第２のリンクも干渉基地局から受信する被担当ユーザ機器（ＵＥ）に対して、第１の識別子によりエンコードされた第１のリンクを送信することと、
前記第２の識別子を前記被担当ＵＥに送信することと、
前記第１のリンクおよび第２のリンクのうちの１つを前記被担当ＵＥにおける受信信号から消去する能力を示すフィードバックを、前記被担当ＵＥから受信することと、
前記フィードバックに応答して、前記第１のリンクおよび第２のリンクのうちの１つの信号対干渉ノイズ比（ＳＩＮＲ）の相対的変化のために、送信の際の調整を生じさせることとを含み、
前記第２の識別子により前記第２のリンクをデコードし、前記第２の識別子により前記第２のリンクを再エンコードし、前記受信信号から前記第２のリンクを消去し、チャネル推定により前記受信信号から前記第１のリンクをデコードすることによって、より高いＳＩＮＲで受信したときに、前記被担当ＵＥが前記第２のリンクの消去を実行する方法。
【請求項２】
パイロット干渉を消去する前記被担当ＵＥの能力を強化するために、パイロットに対する送信レートを調整することをさらに含む請求項１記載の方法。
【請求項３】
前記パイロット干渉における送信電力の変化を生じさせるために、前記被担当ＵＥから前記干渉基地局にパイロットフィードバックを中継することをさらに含む請求項１記載の方法。
【請求項４】
前記第１のリンクおよび第２のリンク中で専用パイロットを送信することをさらに含む請求項３記載の方法。
【請求項５】
前記第２のリンクの制御チャネル干渉を消去することを強化することをさらに含む請求項１記載の方法。
【請求項６】
メディアアクセス制御（ＭＡＣ）識別子によりスクランブルされたユニキャスト制御チャネルを送信することをさらに含む請求項５記載の方法。
【請求項７】
物理レイヤリソースを使用して制御チャネルを送信することが、前記干渉基地局によって占有されている請求項６記載の方法。
【請求項８】
前記干渉基地局からの物理ダウンリンク制御チャネル（ＰＤＣＣＨ）よりも低い送信レートで、増加した信号対干渉ノイズ比に対してエンコードされたＰＤＣＣＨを送信することをさらに含む請求項６記載の方法。
【請求項９】
前記干渉基地局による干渉に関する、前記被担当ＵＥからのフィードバックに応答して、物理ダウンリンク制御チャネル（ＰＤＣＣＨ）に対する送信電力を調整することをさらに含む請求項６記載の方法。
【請求項１０】
前記干渉基地局による干渉に関する、前記被担当ＵＥからのフィードバックに応答して、干渉ダウンリンク制御チャネル（ＰＤＣＣＨ）に対する送信電力調整を生じさせるために、前記干渉基地局と通信することをさらに含む請求項６記載の方法。
【請求項１１】
前記第２のリンクのトラフィックチャネル干渉の消去を強化することをさらに含む請求項１記載の方法。
【請求項１２】
トラフィック干渉消去は、前記干渉基地局による限定された関係と、低い方のジオメトリセルの範囲拡大と、ディスジョイントリンクとからなるグループのうちの選択された１つで実行される請求項１１記載の方法。
【請求項１３】
メディアアクセス制御（ＭＡＣ）識別子によりスクランブルされたユニキャスト制御チャネルを送信することをさらに含む請求項１１記載の方法。
【請求項１４】
前記第１のリンクに対するチャネル品質を受信し、前記第２のリンクに対してデコードされる、チャネル品質とダウンリンク肯定応答割り当てとを報告することと、
信号対干渉ノイズ比を増加させるために調整された送信レートで、前記第１のリンク上でトラフィックチャネルを送信して、前記トラフィックチャネル干渉の事前の消去なしでデコードを可能にすることとをさらに含む請求項１１記載の方法。
【請求項１５】
担当基地局への前記第１のリンクに対するチャネル品質と、前記第２のリンクに対してデコードされたチャネル品質およびダウンリンク肯定応答割当とを受信することと、
調整された送信レートでの、前記第１のリンク上の前記トラフィックチャネルと前記第２のリンク上の前記トラフィックチャネル干渉とのうちの少なくとも１つの調整を生じさせるために、前記干渉基地局と通信することとをさらに含み、
前記被担当ＵＥは、前記送信レートの調整の後に、高い方の信号対干渉ノイズ比を持つ前記リンクを最初にデコードする請求項１１記載の方法。
【請求項１６】
前記第２の識別子に対する要求を前記被担当ＵＥから受信することをさらに含む請求項１記載の方法。
【請求項１７】
バックホール接続を通して、前記第２の識別子を前記干渉基地局から受信することをさらに含む請求項１記載の方法。
【請求項１８】
メディアアクセス制御識別子（ＭＡＣＩＤ）を含む前記第２の識別子を受信することをさらに含む請求項１記載の方法。
【請求項１９】
セル無線ネットワーク一時的識別子（ｃ−ＲＮＴＩ）を含む前記第２の識別子を受信することをさらに含む請求項１記載の方法。
【請求項２０】
後消去のＳＩＮＲを決定することと、
前記被担当ＵＥが前記干渉基地局へハンドオーバーできることを決定することとをさらに含む請求項１記載の方法。
【請求項２１】
後消去のＳＩＮＲに基づいて、チャネル品質インジケータ（ＣＱＩ）を前記被担当ＵＥから受信することと、
前記後消去のＳＩＮＲに基づいて、前記被担当ＵＥをスケジューリングすることとをさらに含む請求項１記載の方法。
【請求項２２】
ハイブリッド自動反復要求（ＨＡＲＱ）失敗に応答して、前消去のＣＱＩを受信することをさらに含む請求項２１記載の方法。
【請求項２３】
干渉セクタに対応しているチャネル品質インジケータ（ＣＱＩ）と肯定応答（ＡＣＫ）とを前記被担当ＵＥから受信することと、
ＣＱＩとＡＣＫとを前記干渉基地局に送信することとをさらに含む請求項１記載の方法。
【請求項２４】
データチャネルと、基準信号（ＲＳ）チャネルと、物理ダウンリンク制御チャネル（ＰＤＣＣＨ）とからなるグループのうちの選択された１つに対する電力レベルを制御することをさらに含む請求項１記載の方法。
【請求項２５】
被担当ユーザ機器（ＵＥ）におけるワイヤレスセル間干渉消去を促進するネットワークのためのコンピュータプログラムプロダクトにおいて、
第２の識別子によりエンコードされた、干渉する第２のリンクも干渉基地局から受信する被担当ＵＥに対して、第１の識別子によりエンコードされた第１のリンクを送信するようにコンピュータに実行させるための第１の組のコードと、
前記第１のリンクおよび第２のリンクのうちの１つを前記被担当ＵＥにおける受信信号から消去する能力を示すフィードバックを、前記被担当ＵＥから受信するように前記コンピュータに実行させるための第２の組のコードと、
前記フィードバックに応答して、前記第１のリンクおよび第２のリンクのうちの１つの信号対干渉ノイズ比（ＳＩＮＲ）の相対的変化のために、送信の際の調整を生じさせるように前記コンピュータに実行させるための第３の組のコードとを含むコンピュータ読み取り可能記憶媒体を含み、
前記第２の識別子により前記第２のリンクをデコードし、前記第２の識別子により前記第２のリンクを再エンコードし、前記受信信号から前記第２のリンクを消去し、チャネル推定により前記受信信号から前記第１のリンクをデコードすることによって、より高いＳＩＮＲで受信したときに、前記被担当ＵＥが前記第２のリンクの消去を実行するコンピュータプログラムプロダクト。
【請求項２６】
被担当ユーザ機器（ＵＥ）におけるワイヤレスセル間干渉消去を促進するネットワークのための装置において、
第２の識別子によりエンコードされた、干渉する第２のリンクも干渉基地局から受信する被担当ＵＥに対して、第１の識別子によりエンコードされた第１のリンクを送信する手段と、
前記第１のリンクおよび第２のリンクのうちの１つを前記被担当ＵＥにおける受信信号から消去する能力を示すフィードバックを、前記被担当ＵＥから受信する手段と、
前記フィードバックに応答して、前記第１のリンクおよび第２のリンクのうちの１つの信号対干渉ノイズ比（ＳＩＮＲ）の相対的変化のために、送信の際の調整を生じさせる手段とを具備し、
前記第２の識別子により前記第２のリンクをデコードし、前記第２の識別子により前記第２のリンクを再エンコードし、前記受信信号から前記第２のリンクを消去し、チャネル推定により前記受信信号から前記第１のリンクをデコードすることによって、より高いＳＩＮＲで受信したときに、前記被担当ノードが前記第２のリンクの消去を実行する装置。
【請求項２７】
被担当ユーザ機器（ＵＥ）におけるワイヤレスセル間干渉消去を促進するネットワークのための装置において、
第２の識別子によりエンコードされた、干渉する第２のリンクも干渉基地局から受信する被担当ＵＥに対して、第１の識別子によりエンコードされた第１のリンクを送信する送信機と、
前記第１のリンクおよび第２のリンクのうちの１つを前記被担当ＵＥにおける受信信号から消去する能力を示すフィードバックを、前記被担当ＵＥから受信する受信機と、
前記フィードバックに応答して、前記第１のリンクおよび第２のリンクのうちの１つの信号対干渉ノイズ比（ＳＩＮＲ）の相対的変化のために、送信の際の調整を生じさせるコンピューティングプラットフォームとを具備し、
前記第２の識別子により前記第２のリンクをデコードし、前記第２の識別子により前記第２のリンクを再エンコードし、前記受信信号から前記第２のリンクを消去し、チャネル推定により前記受信信号から前記第１のリンクをデコードすることによって、より高いＳＩＮＲで受信したときに、前記被担当ＵＥが前記第２のリンクの消去を実行する装置。
【請求項２８】
前記コンピューティングプラットフォームは、さらに、パイロット干渉を消去する前記被担当ＵＥの能力を強化するために、パイロットに対する送信レートを調整するためのものである請求項２７記載の装置。
【請求項２９】
前記コンピューティングプラットフォームは、さらに、前記パイロット干渉における送信電力の変化を生じさせるために、前記被担当ＵＥから前記干渉基地局にパイロットフィードバックを中継するためのものである請求項２７記載の装置。
【請求項３０】
前記送信機は、さらに、前記第１のリンクおよび第２のリンク中で専用パイロットを送信するためのものである請求項２９記載の装置。
【請求項３１】
前記コンピューティングプラットフォームは、さらに、前記第２のリンクの制御チャネル干渉を消去することを強化するためのものである請求項２７記載の装置。
【請求項３２】
前記送信機は、さらに、メディアアクセス制御（ＭＡＣ）識別子によりスクランブルされたユニキャスト制御チャネルを送信するためのものである請求項３１記載の装置。
【請求項３３】
前記送信機は、さらに、前記干渉基地局によって占有されている物理レイヤリソースを使用して制御チャネルを送信するためのものである請求項３２記載の装置。
【請求項３４】
前記送信機は、さらに、前記干渉基地局からの物理ダウンリンク制御チャネル（ＰＤＣＣＨ）よりも低い送信レートで、増加した信号対干渉ノイズ比に対してエンコードされたＰＤＣＣＨを送信するためのものである請求項３１記載の装置。
【請求項３５】
前記送信機は、さらに、前記干渉基地局による干渉に関する、前記被担当ＵＥからのフィードバックに応答して、物理ダウンリンク制御チャネル（ＰＤＣＣＨ）に対する送信電力を調整するためのものである請求項３１記載の装置。
【請求項３６】
前記コンピューティングプラットフォームは、さらに、前記干渉基地局による干渉に関する、前記被担当ＵＥからのフィードバックに応答して、干渉ダウンリンク制御チャネル（ＰＤＣＣＨ）に対する送信電力調整を生じさせるために、前記干渉基地局と通信するためのものである請求項３１記載の装置。
【請求項３７】
前記コンピューティングプラットフォームは、さらに、前記第２のリンクのトラフィックチャネル干渉の消去を強化するためのものである請求項２７記載の装置。
【請求項３８】
前記送信機は、さらに、メディアアクセス制御（ＭＡＣ）識別子によりスクランブルされたユニキャスト制御チャネルを送信するためのものである請求項３７記載の装置。
【請求項３９】
前記受信機は、さらに、前記第１のリンクに対するチャネル品質を受信し、前記第２のリンクに対してデコードされる、チャネル品質とダウンリンク肯定応答割当とを報告するためのものであり、
前記送信機は、さらに、信号対干渉ノイズ比を増加させるために調整された送信レートで、前記第１のリンク上でトラフィックチャネルを送信して、前記トラフィックチャネル干渉の事前の消去なしでデコードを可能にするためのものである請求項３７記載の装置。
【請求項４０】
前記受信機は、さらに、前記担当基地局への前記第１のリンクに対するチャネル品質と、前記第２のリンクに対してデコードされたチャネル品質およびダウンリンク肯定応答割当とを受信するためのものであり、
前記コンピューティングプラットフォームは、さらに、調整された送信レートでの、前記第１のリンク上の前記トラフィックチャネルと前記第２のリンク上の前記トラフィックチャネル干渉とのうちの少なくとも１つの調整を生じさせるために前記干渉基地局と通信するためのものであり、
前記被担当ＵＥは、前記送信レートの調整の後に、高い方の信号対干渉ノイズ比を持つ前記リンクを最初にデコードする請求項３７記載の装置。
【請求項４１】
非被担当ユーザ機器（ＵＥ）によるワイヤレスセル間干渉消去を促進するための方法において、
第１の識別子によりエンコードされた第１のリンクを担当基地局が非被担当ＵＥに対して送信している間に、非担当基地局によって、第２の識別子によりエンコードされた、干渉する第２のリンクを送信することと、
前記非被担当ＵＥによる干渉消去を前記干渉する第２のリンクが要求することを示している通信を前記担当基地局から受信することと、
前記第２の識別子を直接的または間接的に前記非被担当ＵＥに送信することと、
前記非被担当ＵＥによる干渉消去を促進させるために、前記干渉する第２のリンクの送信を調整することとを含む方法。
【請求項４２】
フィードバックに応答して、前記第１のリンクおよび第２のリンクのうちの１つの信号対干渉ノイズ比（ＳＩＮＲ）の相対的変化を生じさせるために、送信を調整することをさらに含み、
前記第２の識別子により前記第２のリンクをデコードし、前記第２の識別子により前記第２のリンクを再エンコードし、前記受信信号から前記第２のリンクを消去し、チャネル推定により前記受信信号から前記第１のリンクをデコードすることによって、より高いＳＩＮＲで受信したときに、前記非被担当ＵＥが前記第２のリンクの消去を実行する請求項４１記載の方法。
【請求項４３】
パイロット干渉を消去する前記非被担当ＵＥの能力を強化するために、パイロットに対する送信レートを調整することをさらに含む請求項４１記載の方法。
【請求項４４】
前記パイロット干渉における送信電力の変化を生じさせるために、前記担当基地局により中継されるパイロットフィードバックを前記非被担当ＵＥから受信することをさらに含む請求項４３記載の方法。
【請求項４５】
前記第１のリンクおよび第２のリンク中で専用パイロットを送信することをさらに含む請求項４４記載の方法。
【請求項４６】
前記第２のリンクの制御チャネル干渉を消去することを強化することをさらに含む請求項４１記載の方法。
【請求項４７】
メディアアクセス制御（ＭＡＣ）識別子によりスクランブルされたユニキャスト制御チャネルを送信することをさらに含む請求項４６記載の方法。
【請求項４８】
物理レイヤリソースを使用して制御チャネルを送信することが、前記担当基地局によって占有されている請求項４７記載の方法。
【請求項４９】
前記担当基地局からの物理ダウンリンク制御チャネル（ＰＤＣＣＨ）よりも高い送信レートで、低い方の信号対干渉ノイズ比に対してエンコードされたＰＤＣＣＨを送信することをさらに含む請求項４７記載の方法。
【請求項５０】
前記担当基地局により中継される、干渉に関する前記非被担当ＵＥからのフィードバックに応答して、物理ダウンリンク制御チャネル（ＰＤＣＣＨ）に対する送信電力を調整することをさらに含む請求項４７記載の方法。
【請求項５１】
前記第２のリンクのトラフィックチャネル干渉の消去を強化することをさらに含む請求項４１記載の方法。
【請求項５２】
メディアアクセス制御（ＭＡＣ）識別子によりスクランブルされたユニキャスト制御チャネルを送信することをさらに含む請求項５１記載の方法。
【請求項５３】
調整された送信レートでの、前記第１のリンク上の前記トラフィックチャネルと前記第２のリンク上の前記トラフィックチャネル干渉とのうちの少なくとも１つの調整を生じさせるために、前記担当基地局から通信を受信することをさらに含み、
前記非被担当ＵＥは、前記送信レートの調整の後に、高い方の信号対干渉ノイズ比を持つ前記リンクを最初にデコードし、
前記担当基地局は、前記第１のリンクに対するチャネル品質と、前記第２のリンクに対してデコードされたチャネル品質およびダウンリンク肯定応答割当とを受信する請求項５１記載の方法。
【請求項５４】
メディアアクセス制御識別子（ＭＡＣＩＤ）を含む前記第２の識別子を送信することをさらに含む請求項４１記載の方法。
【請求項５５】
セル無線ネットワーク一時的識別子（ｃ＿ＲＮＴＩ）を含む前記第２の識別子を送信することをさらに含む請求項４１記載の方法。
【請求項５６】
前記担当基地局により中継される要求を前記非被担当ＵＥから受信することに応答して、前記第２の識別子を送信することをさらに含む請求項４１記載の方法。
【請求項５７】
前記担当基地局により中継される、干渉セクタに対応しているチャネル品質インジケータ（ＣＱＩ）と肯定応答（ＡＣＫ）とを前記被担当ＵＥから受信することをさらに含む請求項４１記載の方法。
【請求項５８】
非被担当ＵＥによるワイヤレスセル間干渉消去を促進するためのコンピュータプログラムプロダクトにおいて、
第１の識別子によりエンコードされた第１のリンクを担当基地局が非被担当ＵＥに対して送信している間に、非担当基地局によって、第２の識別子によりエンコードされた、干渉する第２のリンクを送信するようにコンピュータに実行させるための１組のコードと、
前記非被担当ＵＥによる干渉消去を前記干渉する第２のリンクが要求することを示している通信を前記担当基地局から受信するように前記コンピュータに実行させるための１組のコードと、
前記第２の識別子を直接的または間接的に前記非被担当ＵＥに送信するように前記コンピュータに実行させるための１組のコードと、
前記非被担当ノードによる干渉消去を促進させるために、前記干渉する第２のリンクの送信を調整するように前記コンピュータに実行させるための１組のコードとを含むコンピュータ読み取り可能記憶媒体を含むコンピュータプログラムプロダクト。
【請求項５９】
非被担当ユーザ機器（ＵＥ）によるワイヤレスセル間干渉消去を促進する装置において、
第１の識別子によりエンコードされた第１のリンクを担当基地局が非被担当ＵＥに対して送信している間に、非担当基地局によって、第２の識別子によりエンコードされた、干渉する第２のリンクを送信する手段と、
前記非被担当ＵＥによる干渉消去を前記干渉する第２のリンクが要求することを示している通信を前記担当基地局から受信する手段と、
前記第２の識別子を直接的または間接的に前記非被担当ＵＥに送信する手段と、
前記非被担当ＵＥによる干渉消去を促進させるために、前記干渉する第２のリンクの送信を調整する手段とを具備する装置。
【請求項６０】
非被担当ユーザ機器（ＵＥ）によるワイヤレスセル間干渉消去を促進する装置において、
第１の識別子によりエンコードされた第１のリンクを担当基地局が非被担当ＵＥに対して送信している間に、非担当基地局によって、第２の識別子によりエンコードされた、干渉する第２のリンクを送信する送信機と、
前記非被担当ＵＥによる干渉消去を前記干渉する第２のリンクが要求することを示している通信を前記担当基地局から受信する受信機と、
前記非被担当ＵＥによる干渉消去を促進させるために、前記干渉する第２のリンクの送信を調整するコンピューティングプラットフォームとを具備し、
前記送信機は、さらに、前記第２の識別子を直接的または間接的に前記非被担当ＵＥに送信するためのものである装置。
【請求項６１】
前記コンピューティングプラットフォームは、さらに、フィードバックに応答して、前記第１のリンクおよび第２のリンクのうちの１つの信号対干渉ノイズ比（ＳＩＮＲ）の相対的変化を生じさせるために、送信を調整するためのものであり、
前記第２の識別子により前記第２のリンクをデコードし、前記第２の識別子により前記第２のリンクを再エンコードし、前記受信信号から前記第２のリンクを消去し、チャネル推定により前記受信信号から前記第１のリンクをデコードすることによって、より高いＳＩＮＲで受信したときに、前記非被担当ＵＥが前記第２のリンクの消去を実行する請求項６０記載の装置。
【請求項６２】
前記コンピューティングプラットフォームは、さらに、パイロット干渉を消去する前記非被担当ＵＥの能力を強化するために、パイロットに対する送信レートを調整するためのものである請求項６０記載の装置。
【請求項６３】
前記受信機は、さらに、前記パイロット干渉における送信電力の変化を生じさせるために、前記担当基地局より中継されるパイロットフィードバックを前記非被担当ＵＥから受信するためのものである請求項６２記載の装置。
【請求項６４】
前記送信機は、さらに、前記第１のリンクおよび第２のリンク中で専用パイロットを送信するためのものである請求項６３記載の装置。
【請求項６５】
前記コンピューティングプラットフォームは、さらに、前記第２のリンクの制御チャネル干渉を消去することを強化するためのものである請求項６０記載の装置。
【請求項６６】
前記送信機は、さらに、メディアアクセス制御（ＭＡＣ）識別子によりスクランブルされたユニキャスト制御チャネルを送信するためのものである請求項６５記載の装置。
【請求項６７】
物理レイヤリソースを使用して制御チャネルを送信することは、前記担当基地局によって占有されている請求項６６記載の装置。
【請求項６８】
前記送信機は、さらに、前記担当基地局からの物理ダウンリンク制御チャネル（ＰＤＣＣＨ）よりも高い送信レートで、低い方の信号対干渉ノイズ比に対してエンコードされたＰＤＣＣＨを送信するためのものである請求項６６記載の装置。
【請求項６９】
前記コンピューティングプラットフォームは、さらに、前記担当基地局により中継される、干渉に関する前記非被担当ＵＥからのフィードバックに応答して、物理ダウンリンク制御チャネル（ＰＤＣＣＨ）に対する送信電力を調整するためのものである請求項６６記載の装置。
【請求項７０】
前記コンピューティングプラットフォームは、さらに、前記第２のリンクのトラフィックチャネル干渉の消去を強化するためのものである請求項６０記載の装置。
【請求項７１】
前記送信機は、さらに、メディアアクセス制御（ＭＡＣ）識別子によりスクランブルされたユニキャスト制御チャネルを送信するためのものである請求項７０記載の装置。
【請求項７２】
前記受信機は、さらに、調整された送信レートでの、前記第１のリンク上の前記トラフィックチャネルと前記第２のリンク上の前記トラフィックチャネル干渉とのうちの少なくとも１つの調整を生じさせるために、通信を前記担当基地局から受信するためのものであり、
前記非被担当ＵＥは、前記送信レートの調整の後に、高い方の信号対干渉ノイズ比を持つ前記リンクを最初にデコードし、
前記担当基地局は、前記第１のリンクに対するチャネル品質と、前記第２のリンクに対してデコードされる、チャネル品質とダウンリンク肯定応答割当とを受信する請求項７０記載の装置。
【発明の詳細な説明】
【米国特許法第１１９条による優先権の主張】
【０００１】
本特許出願は、“ハイブリッド自動反復（ＨＡＲＱ）再送信を使用している、アップリンクセル間干渉消去のためのシステムおよび方法”と題し、２００８年７月１１日に出願されている仮出願番号第６１／０８０，０５１号に対する優先権を主張し、この出願は、本発明の譲受人に譲渡され、ここにそのすべてが参照により明示的に組み込まれている。
【背景】
【０００２】
分野
本開示は、一般的に、ワイヤレス通信に関し、そして、さらに詳細には、ワイヤレスネットワークにおける干渉管理のための、さまざまな電子回路またはアルゴリズムに関するが、これに限定されるものではない。
【０００３】
背景
電話通信、データ、ビデオ、オーディオ、メッセージング、ブロードキャスト等のようなさまざまなサービスを消費者に提供するために、ワイヤレスネットワークが広範囲に展開されている。ワイヤレスネットワークにより、地域的な領域、全国的な領域にわたって、またはグローバルな領域にわたってでさえも、ブロードバンド通信が可能になる。このようなネットワークを、ワイヤレスワイドエリアネットワーク（ＷＷＡＮ）と呼ぶことがある。ＷＷＡＮの１つの一般例は、ＣＤＭＡ２０００をサポートしているセルラネットワークであり、ＣＤＭＡ２０００は、移動体加入者間で音声、データ、およびシグナリングを送るためにコード分割多元接続（ＣＤＭＡ）を使用する電気通信標準規格である。ＷＷＡＮの別の例は、ブロードバンドインターネットアクセスを移動体加入者に提供するセルラネットワークであり、セルラネットワークには、最適化された進化データ（ＥＶ−ＤＯ）またはウルトラモバイルブロードバンド（ＵＭＢ）のようなものがあり、これらの双方は、エアーインターフェース標準規格のＣＤＭＡ２０００ファミリーの一部である。他の例は、ＷＣＤＭＡ、ＨＳＰＡ、ＬＴＥ（ロングタームエボリューション）や、ＬＴＥ−Ａｄｖａｎｃｅｄを含む。これらのセルラネットワークは、一般的に、複数のセルラ領域にわたってカバレージを提供し、固定位置の基地局は、移動体加入者を担当するために、それぞれのセルに位置付けられている。
【０００４】
ネットワークにおける１つの特定の例示的な使用では、端末が、フォワードリンクおよび／またはリバースリンク上で担当基地局と通信することがある。フォワードリンク上では、端末は、干渉基地局からの高干渉を観測するかもしれない。リバースリンク上では、担当基地局が、干渉端末からの高干渉を観測するかもしれない。それぞれのリンク上の干渉が、そのリンク上で送られるデータ送信の性能を低下させることがある。ＬＴＥのようなワイヤレス標準規格の将来の改良において、異なる電力の基地局（例えば、高電力のマクロセル、および、より低い電力のピコセル）をサポートする必要がある。さらに、（これ以降、フェエムトセルと呼ぶ）いくつかのセルが存在するかもしれない。これは、「限定された関係」、すなわち閉ざされた加入者グループ（ＣＳＧ）のもと動作する、言い換えると、このいくつかのセルは、いくつかのユーザ端末（ＵＥ）のみが、このいくつかのセルに接続することを許容する。すなわち、例えば、これらのＵＥは、オペレータにより提供されている特別アクセスプランに加入しているユーザに属しているかもしれない。
【０００５】
従来のホモジニアス配置では、一般的に、ＵＥは、最高のジオメトリ（すなわち、信号対ノイズ比）を有するセルに接続する。しかしながら、ディスジョイントリンクのようないくつかのケースでは、最強のフォワードリンクジオメトリセルが、最強のリバースリンクセルと同じでないこと（またはその逆）があるので、より弱いセルに接続されることがある。さらに、ヘテロジニアス配置では、ＵＥが、より弱い基地局に接続できる利益がある。例えば、たとえ、そのジオメトリが、より低いものであっても、ＵＥは、ネットワークに対して生じる干渉を最小にするために、最低のパス損失を有するセルに接続するかもしれない。同様に、限定された関係のケースでは、ＵＥが、最強のジオメトリの基地局にアクセスする許可を持っていないことがあるので、ＵＥは、弱い方のジオメトリ基地局に接続するように強いられるかもしれない。
【概要】
【０００６】
以下では、開示した態様のいくつかの態様の基本的な理解を提供するために、簡略化した概要を示している。この概要は、多彩な概略ではなく、重要な、または、不可欠なエレメントを識別することにも、このような態様の範囲について詳細に述べることにも向けられていない。この目的は、後に示す、より詳細な説明の前置きとして、記述した機能のいくつかの概念を簡略化した形態で示すことである。
【０００７】
１つ以上の態様、および、この対応する開示にしたがって、干渉チャネルをエンコードするために使用された識別子の使用によって干渉チャネルを消去することに関連して、さまざまな態様を記述する。ネットワークエンティティ（例えば、担当基地局および／または干渉基地局）が、干渉の消去を強化するために、チャネルのうちの１つの信号対干渉ノイズ比（ＳＩＮＲ）に影響を及ぼす送信調整を行う。
【０００８】
１つの態様において、第２の識別子によりエンコードされた、干渉する第２のリンクも干渉基地局から受信する被担当ユーザ機器（ＵＥ）に対して、第１の識別子によりエンコードされた第１のリンクを送信することと、第２の識別子をＵＥに送信することと、第１のリンクおよび第２のリンクのうちの１つを被担当ＵＥにおける受信信号から消去する能力を示すフィードバックを、被担当ＵＥから受信することと、フィードバックに応答して、第１のリンクおよび第２のリンクのうちの１つの信号対干渉ノイズ比（ＳＩＮＲ）の相対的変化のために、送信の際の調整を生じさせることとによって、ＵＥにおけるワイヤレスセル間干渉消去を促進するネットワークのための方法が提供されている。第２の識別子により第２のリンクをデコードし、第２の識別子により第２のリンクを再エンコードし、受信信号から第２のリンクを消去し、チャネル推定により受信信号から第１のリンクをデコードすることによって、より高いＳＩＮＲで受信したときに、被担当ＵＥが第２のリンクの消去を実行する。
【０００９】
別の態様では、被担当ＵＥにおけるワイヤレスセル間干渉消去を促進するネットワークのための少なくとも１つのプロセッサが提供されている。第１のモジュールが、第２の識別子によりエンコードされた、干渉する第２のリンクも干渉基地局から受信する被ＵＥに対して、第１の識別子によりエンコードされた第１のリンクを送信する。第２のモジュールが、第２の識別子をＵＥに送信し、第１のリンクおよび第２のリンクのうちの１つを被担当ＵＥにおける受信信号から消去する能力を示すフィードバックを、被担当ＵＥから受信する。第３のモジュールが、フィードバックに応答して、第１のリンクおよび第２のリンクのうちの１つの信号対干渉ノイズ比（ＳＩＮＲ）の相対的変化のために、送信の際の調整を生じさせる。第２の識別子により第２のリンクをデコードし、第２の識別子により第２のリンクを再エンコードし、受信信号から第２のリンクを消去し、チャネル推定により受信信号から第１のリンクをデコードすることによって、より高いＳＩＮＲで受信したときに、被担当ＵＥが第２のリンクの消去を実行する。
【００１０】
さらなる態様では、被担当ＵＥにおけるワイヤレスセル間干渉消去を促進するネットワークのためのコンピュータプログラムプロダクトが提供されている。コンピュータ読み取り可能記憶媒体は、第２の識別子によりエンコードされた、干渉する第２のリンクも干渉基地局から受信する被担当ＵＥに対して、第１の識別子によりエンコードされた第１のリンクを送信するようにコンピュータに実行させるための第１の組のコードを含む。第２の組のコードは、第２の識別子をＵＥに送信するようにコンピュータに実行させ、第１のリンクおよび第２のリンクのうちの１つを被担当ＵＥにおける受信信号から消去する能力を示すフィードバックを、被担当ＵＥから受信するようにコンピュータに実行させる。第３の組のコードは、フィードバックに応答して、第１のリンクおよび第２のリンクのうちの１つの信号対干渉ノイズ比（ＳＩＮＲ）の相対的変化のために、送信の際の調整を生じさせるようにコンピュータに実行させる。第２の識別子により第２のリンクをデコードし、第２の識別子により第２のリンクを再エンコードし、受信信号から第２のリンクを消去し、チャネル推定により受信信号から第１のリンクをデコードすることによって、より高いＳＩＮＲで受信したときに、被担当ＵＥが第２のリンクの消去を実行する。
【００１１】
別のさらなる態様では、被担当ＵＥにおけるワイヤレスセル間干渉消去を促進するネットワークのための装置が提供されている。第２の識別子によりエンコードされた、干渉する第２のリンクも干渉基地局から受信する被担当ＵＥに対して、第１の識別子によりエンコードされた第１のリンクを送信する手段が提供されている。第２の識別子をＵＥに送信する手段と、第１のリンクおよび第２のリンクのうちの１つを被担当ＵＥにおける受信信号から消去する能力を示すフィードバックを、被担当ＵＥから受信する手段が提供されている。フィードバックに応答して、第１のリンクおよび第２のリンクのうちの１つの信号対干渉ノイズ比（ＳＩＮＲ）の相対的変化のために、送信の際の調整を生じさせる手段が提供されている。第２の識別子により第２のリンクをデコードし、第２の識別子により第２のリンクを再エンコードし、受信信号から第２のリンクを消去し、チャネル推定により受信信号から第１のリンクをデコードすることによって、より高いＳＩＮＲで受信したときに、被担当ＵＥが第２のリンクの消去を実行する。
【００１２】
さらなる態様では、被担当ＵＥにおけるワイヤレスセル間干渉消去を促進するネットワークのための装置が提供されている。送信機が、第２の識別子によりエンコードされた、干渉する第２のリンクも干渉基地局から受信する被担当ＵＥに対して、第１の識別子によりエンコードされた第１のリンクを送信する。送信機は、第２の識別子を被担当ＵＥに送信する。第１のリンクの送信機または干渉基地局のいずれかにおける受信機が、第１のリンクおよび第２のリンクのうちの１つを被担当ＵＥにおける受信信号から消去する能力を示すフィードバックを、被担当ＵＥから受信する。コンピューティングプラットフォームが、フィードバックに応答して、第１のリンクおよび第２のリンクのうちの１つの信号対干渉ノイズ比（ＳＩＮＲ）の相対的変化のために、送信の際の調整を生じさせる。第２の識別子により第２のリンクをデコードし、第２の識別子により第２のリンクを再エンコードし、受信信号から第２のリンクを消去し、チャネル推定により受信信号から第１のリンクをデコードすることによって、より高いＳＩＮＲで受信したときに、被担当ＵＥが第２のリンクの消去を実行する。
【００１３】
もう１つの態様では、非被担当ＵＥによるワイヤレスセル間干渉消去を促進するための方法が提供されている。第１の識別子によりエンコードされた第１のリンクを担当基地局が非被担当ＵＥに対して送信している間に、第２の識別子によりエンコードされた、干渉する第２のリンクが送信される。非被担当ＵＥによる干渉消去を干渉する第２のリンクが要求することを示している通信が、担当基地局から受信される。非被担当ＵＥによる干渉消去を促進させるために、干渉する第２のリンクの送信が調整される。
【００１４】
さらにもう１つの態様では、非被担当ＵＥによるワイヤレスセル間干渉消去を促進するためのコンピュータプログラムプロダクトが提供されている。コンピュータ読み取り可能記憶媒体は、第１の識別子によりエンコードされた第１のリンクを担当基地局が非被担当ＵＥに対して送信している間に、第２の識別子によりエンコードされた、干渉する第２のリンクを送信するようにコンピュータに実行させるための１組のコードを含む。１組のコードは、非被担当ＵＥによる干渉消去を干渉する第２のリンクが要求することを示している通信を担当基地局から受信するようにコンピュータに実行させる。１組のコードは、第２の識別子を直接的または間接的に非被担当ＵＥに送信するようにコンピュータに実行させる。１組のコードは、非被担当ＵＥによる干渉消去を促進させるために、干渉する第２のリンクの送信を調整するようにコンピュータに実行させる。
【００１５】
その上さらなる態様では、非被担当ＵＥによるワイヤレスセル間干渉消去を促進する装置が提供されている。第１の識別子によりエンコードされた第１のリンクを担当基地局が非被担当ＵＥに対して送信している間に、第２の識別子によりエンコードされた、干渉する第２のリンクを送信する手段が提供されている。非被担当ＵＥによる干渉消去を干渉する第２のリンクが要求することを示している通信を担当基地局から受信する手段が提供されている。第２の識別子を直接的または間接的に非被担当ＵＥに送信する手段が提供されている。非被担当ノードによる干渉消去を促進させるために、干渉する第２のリンクの送信を調整する手段が提供されている。
【００１６】
その上さらなる態様では、非被担当ＵＥによるワイヤレスセル間干渉消去を促進する装置が提供されている。送信機が、第１の識別子によりエンコードされた第１のリンクを担当基地局が非被担当ＵＥに対して送信している間に、第２の識別子によりエンコードされた、干渉する第２のリンクを送信する。受信機が、非被担当ＵＥによる干渉消去を干渉する第２のリンクが要求することを示している通信を担当基地局から受信する。送信機は、さらに、第２の識別子を直接的または間接的に非被担当ＵＥに送信するためのものである。コンピューティングプラットフォームが非被担当ＵＥによる干渉消去を促進させるために、干渉する第２のリンクの送信を調整する。
【００１７】
先述の関連した目的の達成のために、１つ以上の態様は、以下で完全に記述した特徴および特許請求の範囲において特に指摘した特徴を含む。以下の説明および添付した図面では、いくつかの例示的な態様を詳細に述べ、態様の原理を使用してもよい、ほんの数例のさまざまな方法を示した。他の利点および新規な特徴は、図面とともに考慮したときに以下の詳細な説明から明らかになり、開示した態様は、このようなすべての態様およびこれらの均等物を含むことを意図している。
【図面の簡単な説明】
【００１８】
本開示の特徴、性質および効果は、同じ参照文字が全体を通して対応しているものを識別している図面と併用したときに、以下に説明されている詳細な説明からさらに明らかになるであろう。
【図１】図１は、干渉基地局の存在の下、基地局と通信しているユーザ機器（ＵＥ）を備えるワイヤレス通信システムのブロック図を図示している。
【図２】図２は、パイロット、制御およびトラフィックの統合消去を実行するための動作の、方法論またはシーケンスのタイミング図を図示している。
【図３】図３は、パイロット、制御およびトラフィックの統合消去を実行するための動作の、方法論またはシーケンスのタイミング図を図示している。
【図４】図４は、各基地局と通信し、他の各基地から干渉を受けているユーザ機器（ＵＥ）の通信システムのブロック図を図示している。
【図５】図５は、ワイヤレス干渉消去を実行するための方法を実行するためのコンピューティングプラットフォームを備えている、基地局および被担当ユーザ機器（ＵＥ）のブロック図を図示している。
【図６】図６は、ワイヤレス干渉消去を実行するための電気コンポーネントの論理グルーピングを備えているシステムのブロック図を図示している。
【図７】図７は、ワイヤレス干渉消去の性能を強化するための電気コンポーネントの論理グルーピングを備えているシステムのブロック図を図示している。
【図８】図８は、ワイヤレスセル間干渉消去のための手段を備えている装置のブロック図を図示している。
【図９】図９は、セル間干渉消去のネットワーク促進のための手段を備えている装置のブロック図を図示している。
【図１０】図１０は、非被担当ＵＥにおけるセル間干渉消去のネットワーク促進のための手段を備えている装置のブロック図を図示している。
【図１１】図１１は、非被担当ＵＥにおけるワイヤレス干渉消去の性能を強化する電気コンポーネントの論理グルーピングを備えているシステムのブロック図を図示している。
【詳細な説明】
【００１９】
通信技術により、異なる基地局によって送信される支配干渉信号を受けるＵＥ（ユーザ機器）との効率的な通信が可能になる。同期システムを想定することが役立つ。同期システムとは、フェムトセルおよびピコセルが、グローバルポジショニングシステム（ＧＰＳ）のような同期ソースに対するアクセスを持つことを意味している。開示した干渉消去技術、すなわちＵＥ中心およびネットワーク中心の双方とも、この状況に適している。これらの技術は、特に、既存の基地局における物理（ＰＨＹ）およびメディアアクセス制御（ＭＡＣ）レイヤの変化を生じさせることが好ましくないとき、または、困難であるときに効果的である。ＵＥ中心（「下位互換性」）フレームワークは、主として、ピコまたはフェムトセルを含めるための、ＵＥにより実現されるアプローチに関連する。基地局とＵＥとの間のネットワーク中心フレームワーク閉ループ調整は、干渉緩和を達成し、これによりネットワーク性能が向上する。特に、「犠牲」ＵＥが提供する情報に応答して、ダウンリンクパイロットおよび制御電力を調整し、トラフィックデータレートを調整することによって、干渉基地局は「犠牲」ＵＥを助けることができる。「犠牲」ＵＥが提供する情報は、干渉リンクについての情報と、「犠牲」ＵＥ自体の消去の性能（例えば、前消去ＣＱＩ（チャネル品質表示）およびＡＣＫ（肯定応答）とを含む。このフィードバック情報は、エアを通して、または、バックホールを使用して送ることができる。
【００２０】
「例として、事例として、あるいは実例として機能すること」を意味するために、「例示的な」という用語をここで使用する。「例示的な」ものとして、ここで記述するいずれの実施形態も、他の実施形態と比較して、必ずしも、好ましいまたは効果的なものと解釈されるべきものではない。開示した実施形態は、下記の技術：コード分割多元接続（ＣＤＭＡ）システム、多重搬送波ＣＤＭＡ（ＭＣ−ＣＤＭＡ）、広帯域ＣＤＭＡ（Ｗ−ＣＤＭＡ）、高速パケットアクセス（ＨＳＰＡ、ＨＳＰＡ＋）、時分割多元接続（ＴＤＭＡ）システム、周波数分割多元接続（ＦＤＭＡ）システム、直交周波数分割多元接続（ＯＦＤＭ）システム、または他の多元接続技術に適用してもよい。ワイヤレス通信システムは、ＩＳ−９５や、ｃｄｍａ２０００や、ＩＳ−８５６や、Ｗ−ＣＤＭＡや、ＴＤ−ＳＣＤＭＡや、他の標準規格のような、１つ以上の標準規格を実現するように設計していてもよい。
【００２１】
添付した図面に関連して以下に示した詳細な説明は、本発明のさまざまな構成の説明として意図されており、本発明を実施してもよい構成のみを示すことを意図しているのではない。詳細な説明は、本発明の完全な理解を提供する目的で特定の詳細な説明を含んでいる。しかしながら、これらの特定の詳細な説明がなくても、本発明を実施してもよいことは、当業者に明らかになるだろう。いくつかのインスタンスでは、本発明の概念が不明瞭になることを避けるために、周知の構造およびコンポーネントをブロック図の形態で示している。
【００２２】
これから図面を参照すると、図１では、第２のＵＥA１０８と通信しているより強い干渉ｅＮＢA１０６の存在の下、干渉緩和進化基地局（ｅＮＢB）１０４と効率的に通信するために、干渉緩和ＵＥ（ＵＥB）１０２によって実行されるセル間干渉消去フレームワーク１０１をワイヤレス通信システム１００が促進する。
【００２３】
本発明の１つの態様では、強い干渉を受ける信号のデコーディングを可能にするために、ＵＥB１０２におけるコンピューティングプラットフォーム１１０による干渉消去を使用する。１つの態様では、干渉消去は、パイロットチャネル（「パイロット」）１１２と、制御チャネル１１４と、トラフィックチャネル１１６とに適用することができる。異なる基地局ｅＮＢA１０６によって干渉が生成されることから、この消去プロセスにおいて、何らかの余分な情報を使用することがある。例えば、干渉を推定することは、干渉およびその識別子をデコードして、対応する識別子により干渉を再エンコーディングすることによって実行できる。ソフト推定、反復推定、または他の何らかの技術によって、送信された変調シンボルを推定することによっても実行してもよい。
【００２４】
１つの態様では、ＵＥB１０２のコンピューティングプラットフォーム１１０のパイロット干渉消去（ＰＩＣ）コンポーネント１１８が、強い方のｅＮＢA１０６からのパイロット１１２を受信信号（すなわち、ｅＮＢB１０４からのダウンリンク１２０と、ｅＮＢA１０６からのダウンリンク１２２とを合成したもの）から消去して、弱い方のｅＮＢB１０４によって送信されるダウンリンク１２０を導出しようと試行する。たとえ、トラフィック干渉消去を使用しないとしても、ＰＩＣコンポーネント１１８は利点であるかもしれない。いくつかの干渉回避スキームでは、ｅＮＢA１０６が、ｅＮＢB１０４に対するダウンリンクリソースを生じさせる。このケースにおいてでさえ、ｅＮＢA１０６は、レガシーの理由でＲＳ（すなわち、基準信号、パイロットに対する代替名）を送信するかもしれない。ｅＮＢA１０６のＲＳとｅＮＢB１０４のＲＳとがオーバーラップした場合、ｅＮＢB１０４のチャネルのより良い推定を可能にするために、ＰＩＣは必要である、または、利点となる。ｅＮＢA１０６のＲＳが、ｅＮＢB１０４のトラフィックチャネルとオーバーラップした場合、ＵＥB１０２は、ＬＬＲをゼロ出力することができるか、その信号からｅＮＢA１０６のパイロットを消去しようと試みることができる。パイロット１１２上での干渉消去は、１２４で図示したように、それぞれのセル１０４、１０６の識別子（ＩＤ）を把握するようにＵＥB１０２に要求する。
【００２５】
別の態様では、ＵＥB１０２のコンピューティングプラットフォーム１１０の制御干渉消去（ＣＩＣ）コンポーネント１２６が、制御チャネル１１４上で干渉消去を実行する。制御チャネル１１４上での干渉除去は、干渉制御チャネルが送信されている対象のユーザ（例えば、ＵＥA１０８）のＭＡＣ＿ＩＤ１２７を把握するように、ＵＥB１０２に要求する。
【００２６】
さらなる態様では、ＵＥB１０２のコンピューティングプラットフォーム１１０のトラフィック干渉消去（ＴＩＣ）コンポーネント１２８が、干渉基地局ｅＮＢA１０６からの余分なアクションがなくても、トラフィックチャネル１１６上での干渉消去を実行する。トラフィック干渉消去は、干渉トラフィック１１６に関連する制御情報（すなわち、割当およびＡＣＫ）１３０を把握するようにＵＥB１０２に要求する。干渉リンク（ダウンリンク１２２）およびＵＥB１０２自体の消去の性能についての何らかの余分な情報が、前消去フィードバック１３２（ＣＱＩおよびＡＣＫ）として、基地局ｅＮＢB１０４に提供された場合、基地局ｅＮＢB１０４から干渉消去を実行するＵＥB１０２への通信は、より効率的である。
【００２７】
代替的に、または、さらに、ｅＮＢB１０４および／またはｅＮＢA１０６のようなネットワークエンティティを、セル間干渉消去フレームワーク１０１の一部とすることができ、これにより、ＵＥB１０２の能力が強化される。１つの態様では、ｅＮＢB１０４のコンピューティングプラットフォーム１３４は、ＰＩＣコンポーネント１３６と、ＣＩＣコンポーネント１３８と、ＴＩＣコンポーネント１４０とを具備することができ、これらは、以下に記述するように動作できる。さらに、干渉ｅＮＢA１０６は、パイロット電力調整コンポーネント１４２と、制御チャネル電力調整コンポーネント１４４と、トラフィックデータレート調整コンポーネント１４６との使用により干渉緩和に協働することができる。この協働は、バックホールネットワークまたは無線リンク（ＲＬ）制御チャネル１５０を通して送られる関連情報（例えば、ＣＱＩA、ＣＱＩB、ＡＣＫA、ＡＣＫB）１４８に応答する。
【００２８】
図２では、第２のＵＥA２０８と通信する強い方の干渉ｅＮＢA２０６の存在の下、干渉緩和進化基地局（ｅＮＢB）２０４と効率的に通信するために、干渉緩和ＵＥ（ＵＥB）２０２によって実行されるＵＥ中心セル間干渉消去のための、動作２００の方法論またはシーケンスが提供されている。
【００２９】
１つの態様では、２１０において示したような通信２００によって、パイロット干渉消去通信２００（ＰＩＣ）が実行され、２つのｅＮＢ２０４、２０６によって送られるパイロットは、それぞれ、２１２、２１４において図示したようにオーバーラップしている。それぞれのｅＮＢ２０４、２０６によって送られるパイロットはセル特有であり、これらは、ｅＮＢ＿ＩＤ（例えば、セルＩＤ、セクタＩＤ）によって決定される。ＰＩＣ２１０の場合、ＵＥB２０２が、それぞれ、２１６、２１８において図示したように、双方のｅＮＢのｅＮＢ＿ＩＤを導出する。ＵＥB２０２は、受信パイロットを使用して、強い方のｅＮＢのチャネルを推定し、受信パイロットシーケンスからこのｅＮＢの寄与を消去する（ブロック２２０）。その後、ブロック２２２では、ＵＥB２０２が、第２のｅＮＢ＿ＩＤを使用して、第２のｅＮＢA２０６に対するチャネルを推定する。
【００３０】
代替的に、または、さらに、２２２において図示したように、強い方のｅＮＢA２０６からのパイロットを受信信号から消去して、弱い方のｅＮＢB２０４により送信される信号を導出しようと試行するために、ネットワーク中心パイロット干渉消去（ＰＩＣ）は、ＵＥB２０２による活動を強化する。特に、ネットワーク中心ＰＩＣスキーム２２２が、ｅＮＢA２０６が、パイロットの電力を制御することを可能にし（ブロック２２３）、これにより、ＵＥB２０２（例えば、フェムトセル）におけるＵＥ中心ＰＩＣ２１０がより効率的となる。一般的に、これは、特に、専用パイロットが使用されるシナリオに適することができ、したがって、結果的に生じる電力ブーストは、システム全体で限られた影響しかない。
【００３１】
別の態様では、２２４において図示したように、制御干渉消去（ＣＩＣ）を実行する。ブロック２２５では、干渉ｅＮＢA２０６によって送られる制御情報の導出が必要である。ＵＥB２０２が、１つのｅＮＢA２０６の制御チャネルをデコードし（ブロック２２６）、これを再エンコードし（ブロック２２７）、これを受信信号から消去する（ブロック２２８）。
【００３２】
ＬＴＥについての例示的なインプリメンテーションでは、ブロック２３０において図示したように、制御チャネルAを、対象ユーザＵＥA２０８のＭＡＣ＿ＩＤによりスクランブルし、ｅＮＢA２０６からユニキャストを送る（ブロック２３２）。ＬＴＥのケースでは、ＭＡＣ＿ＩＤを、セル無線ネットワーク一時識別子（ｃ−ＲＮＴＩ）と呼ぶことがある。したがって、（ａ）ｅＮＢB２０４からＵＥB２０２への制御チャネルと同じＰＨＹリソースを占有し；（ｂ）ｅＮＢB２０４からのトラフィックと干渉するトラフィックチャネル（ｅＮＢA２０６からのトラフィック）に対する割当を伝える、制御チャネルをスクランブルするために使用されるＭＡＣ＿ＩＤをＵＥが把握することが便利である。ケース（ａ）および（ｂ）は互いに排他的である必要がないことを正しく認識すべきである。制御Aをスクランブルするために使用されるＭＡＣ＿ＩＤは：（ｉ）２３４において図示したように、ＰＤＣＣＨA（物理ダウンリンク制御チャネル）を使用して、場合によっては特別なコーディングスキームを使用して、無線を通して；または、（ｉｉ）２３６において図示したように、バックホールを通して、ＵＥB２０２に明らかにすることができる。
【００３３】
ＭＡＣ＿ＩＤの認識がなされると、ＵＥは、（必要に応じて）ＰＤＣＣＨＢおよびＰＤＣＣＨＡの双方のデコーディングを可能にするＰＤＣＣＨデコーディング方法を選択できる（ブロック２３８）。ＣＩＣ２２４が実行された場合、ＵＥB２０２が、高い方のＳＩＮＲ（信号対干渉プラスノイズ比）で受信されたＰＤＣＣＨを最初にデコードする（ブロック２３９）。
【００３４】
２４０において図示した別のさらなる態様では、ネットワーク中心制御干渉消去（ＣＩＣ）手順により、１つのｅＮＢA２０６の制御チャネル（ＰＤＣＣＨ）をデコードし、それを再エンコードして、受信信号からそれを消去するための、ＵＥB２０２の能力が強化される。特に、ＰＤＣＣＨBの送信がこの状況に適合する場合、より効率的にＣＩＣを実行することができる。ＰＤＣＣＨB上の送信レートが、ＰＤＣＣＨA上の送信レートよりもはるかに低いと仮定する（ブロック２４２）。この状況では、ＰＤＣＣＨAが受信されるＳＩＮＲを最大にする、ＰＤＣＣＨBに対するエンコーディングスキームを、ｅＮＢB２０４が選択してもよく、これにより、このチャネルのより良いデコーディングと、より良いＣＩＣとが可能になる（ブロック２４４）。
【００３５】
代替的に、または、さらに、ＰＤＣＣＨAの送信がこの状況に適合する場合に、ＣＩＣをより効率的に実行することができる。セルＡはより広く、セルＢはセルＡの内に存在すると仮定する（ブロック２４５）。この状況では、ｅＮＢB２０４に近いＵＥによって、このチャネルを正確にデコードすることができるように、ｅＮＢA２０６は、ＰＤＣＣＨAの電力をブーストすることを望むかもしれない。また、ｅＮＢA２０６は、これを選択的に実行することを望むかもしれない；このケースでは、ｅＮＢB２０４が、バックホール上で、何らかの関連情報（セルサイズおよび位置、そのユーザのトラフィック割当）をｅＮＢA２０６に伝えることができ（ブロック２４６）、この関連情報は、ｅＮＢA２０６が、ＰＤＣＣＨAの電力をブーストするために使用する（ブロック２４８）。ＣＩＣの代替として、または、ＣＩＣに加えて、制御直交化を使用してもよい。このようなケースでは、担当セルおよび干渉セルの制御チャネルは異なるリソースを使用する。
【００３６】
図３に続くと、さらなる態様では、２４９において、ＵＥ中心（「下位互換性」）トラフィック干渉消去（ＴＩＣ）を図示しており、２５０において図示しているように、ｅＮＢA２０６によって送られるトラフィック（干渉トラフィック）は、ｅＮＢA２０６またはｅＮＢB２０４からのアクション（電力制御、レート調整）が何もなくても、ＵＥB２０２によってデコードすることができる。このインスタンスでは、トラフィック電力Ａは、トラフィック電力Ｂよりも大きい。図示したように、ｅＮＢA２０６からのトラフィックのデコーディングは、ｅＮＢB２０４からのトラフィックをノイズとして取り扱うことによって実行される（ブロック２５１）。これは、例えば、ｅＮＢA２０６によって送られるトラフィックが、セル端におけるユーザに向けられている場合、関心のあるＵＥB２０２によって高電力で受信される可能性があるかもしれない。ＵＥB２０２は、ｅＮＢA２０６によって送られたトラフィックに関連する制御情報をデコードする（ブロック２５２）。
【００３７】
ｅＮＢB２０４からのトラフィックのＳＩＮＲ（信号対干渉ノイズ比）の後消去は、図示した２５４のようにｅＮＢA２０６からのトラフィックを干渉とみなすＳＩＮＲよりも実質的に高いことがある。この状況では、（１）２５６においてＣＱＩAとして表した、リンクＡに対する（前ＴＩＣ）ＣＱＩ（チャネル品質表示）を；（１ａ）２６０において、ＤＬ ＡＣＫAと表した、リンクＡ上のトラフィックに対するＡＣＫを；（２）２６４において図示したようにＣＱＩBと表した、リンクＢに対する（後ＴＩＣ）ＣＱＩを、ＵＥB２０２がｅＮＢB２０４に対して報告するのに役立つ。ＵＥB２０２は、ＣＱＩAおよびＡＣＫAを使用して、リンクＢ上のレートを調整する（ブロック２６６）。この調整は、２つの例示的な方法：（１）ＵＥB２０２がＵＥ中心ＴＩＣを実行できることを保証する（ブロック２６８）、または、（２）ＵＥB２０２が、ＵＥ中心ＴＩＣを最初に実行せずにリンクＢのトラフィックをデコードするように、リンクＢのトラフィック上の送信を調整する（ブロック２７０）、で実行することができる。
【００３８】
２７２において図示した、さらなる態様では、ｅＮＢA２０４からの余分な助けがなくても、干渉トラフィック（ｅＮＢA２０６からのトラフィック）をデコードするために、いくつかのインスタンスにおいて、ＵＥB２０２に必要とされるさらなるＳＩＮＲを、ネットワーク中心トラフィック干渉消去（ＴＩＣ）が提供することができる。ＵＥ中心ＴＩＣ手順２７２では、リンクＢ２７３上でのトラフィックチャネルの正確なデコーディングを可能にするのに必要とされる余分なアクションが、（主に）ＵＥB２０２とｅＮＢB２０４とによって実行された。例示的なインプリメンテーションでは、２７４において図示したように、ＵＥB２０２が、ＣＱＩAと、ＡＣＫAと、ＡＣＫBと、ＣＱＩBとを、ｅＮＢB２０４に送る。ＵＥB２０２は、（例えば、バックホールを通して、または、無線リンク（ＲＬ）制御チャネルを使用して）同じ情報（ＣＱＩA、ＣＱＩB、ＡＣＫA、ＡＣＫB）をｅＮＢA２０６に送る（ブロック２７６）。１つの態様では、ｅＮＢB２０４およびｅＮＢA２０６が、バックホール／ＲＬ制御チャネルを使用して、レートについてネゴシエートする（ブロック２７８）。ＵＥB２０２が干渉消去を実行できるように、ｅＮＢA２０６が、リンクＡ２５６上で送信されるデータのレートを調整する（ブロック２８０）。異なる方法で、レート調整を実行できる。例えば、セルＢが、セルＡ内に存在している場合、ｅＮＢA２０６は、（ｉ）セル端に存在する（低い方のジオメトリを有する）ユーザ（ブロック２８２）を、このユーザの信号は、セル内で、より高い電力で受信されて、ＵＥ中心ＴＩＣの状況を生成させる；（ｉｉ）低データレートを持つユーザ（例えば、ＶｏＩＰユーザ）（ブロック２８４）をリンクＡ上でスケジューリングしてもよい。ＵＥ中心ＴＩＣは、上述した２４９のように実行することができる。２８５において図示したように、干渉ｅＮＢに対するＳＮＲを改善させるように、担当ｅＮＢが、その電力を変える。次に、これにより、ＵＥは、干渉リンクをより良く推定でき、そして、これを消去することができる。その後、より良いＳＩＮＲを担当セルから得る。
【００３９】
情報理論では、１対のユーザが１対の基地局と通信するシナリオを、干渉チャネルと呼ぶ。以前のシナリオでは、リンクＢ上のトラフィックがＵＥA２０８における受信に余り影響を与えないとき、リンクＡ上のトラッフィックを受信するはずであるＵＥA２０８の存在は明確に考慮されない。しかしながら、いくつかのインスタンスでは、リンクＢがＵＥAに対する干渉も生じさせている、非支配的な干渉物状況が存在する（ブロック２８６）。この状況では、以前に説明した、干渉リンク上のレート調整（実際には、レート減少）は、ＵＥA２０８を犠牲にして成り立つ。ｅＮＢA２０６およびｅＮＢB２０４は、リンクＡおよびＢの双方に適切であるレート対（ＲA、ＲB）についてネゴシエートしてもよい（ブロック２８８）。広範囲のレート対を達成するための１つの例示的な方法は、２つの異なる干渉消去スキーム間のリソース共有による（ブロック２９０）。１つの例示的なスキームでは、ＵＥA２０８が、リンクＢ上の受信した信号（すなわち、ＵＥB２０２に向けられた信号）を消去する（ブロック２９２）一方で、ＵＥB２０２が、リンクＡの信号をノイズとして取り扱って、リンクＢ上の受信した信号をデコードする（ブロック２９４）。他の例示的なスキームでは、ＵＥB２０２が、干渉消去を実行している（ブロック２９６）一方で、ＵＥA２０８が、ｅＮＢB２０４からの信号をノイズとして取り扱う（ブロック２９８）。
【００４０】
図４は、さまざまな態様にしたがった、ワイヤレス多元接続通信システム４００の図である。１つの例では、ワイヤレス多元接続通信システム４００は、複数の基地局４１０と複数の端末４２０とを含んでいる。さらに、１つ以上の基地局４１０は、１つ以上の端末４２０と通信することができる。非制限的な例によると、基地局４１０は、アクセスポイント、ノードＢ、および／または別の適切なネットワークエンティティとすることができる。それぞれの基地局４１０は、特定の地理的エリア４０２ａ〜ｃに対する通信カバレージを提供する。ここで使用したように、そして、一般的に技術的に、「セル」という用語は、用語を使用する文脈に基づいて、基地局４１０および／またはそのカバレージエリア４０２ａ〜ｃのことを意味することがある。
【００４１】
システム能力を向上させるために、基地局４１０に対応しているカバレージエリア４０２ａ、４０２ｂ、または４０２ｃは、複数の、より狭いエリア（例えば、エリア４０４ａ、４０４ｂ、および４０４ｃ）に区分することができる。より狭いエリア４０４ａ、４０４ｂ、および４０４ｃのそれぞれは、各基地トランシーバサブシステム（示していない、ＢＴＳ）によって担当することができる。ここで使用したように、そして一般的に技術的に、「セクタ」という用語は、用語を使用する文脈に基づいて、ＢＴＳおよび／またはそのカバレージエリアのことを意味することがある。１つの例示では、セル４０２ａ、４０２ｂ、４０２ｃ中のセクタ４０４ａ、４０４ｂ、４０４ｃは、基地局４１０における（示していない）アンテナのグループによって形成することができる。ここで、アンテナのそれぞれのグループは、セル４０２ａ、４０２ｂ、または４０２ｃの一部分における端末４２０と通信する役割を担っている。例えば、セル４０２ａを担当している基地局４１０は、セクタ４０４ａに対応している第１のアンテナグループと、セクタ４０４ｂに対応している第２のアンテナグループと、セクタ４０４ｃに対応している第３のアンテナグループとを持つことができる。しかしながら、セクタ化されたセルおよび／またはセクタ化されていないセルを備えるシステムにおいて、ここで開示したさまざまな態様を使用できることを正しく認識すべきである。さらに、任意の数の、セクタ化されたセルおよび／またはセクタ化されていないセルを持つ適切なワイヤレス通信ネットワークのすべてが、特許請求の範囲の範囲内にあることを意図していることを正しく認識すべきである。簡略化のために、ここで使用する「基地局」という用語は、セクタを担当する局のことを意味することがあるとともに、セルを担当する局のことも意味することがある。ここで使用するように、ディスジョイントシナリオにおけるダウンリンクセクタは隣接セクタであることを正しく認識すべきである。以下の説明は、簡単にするために、一般的に、それぞれの端末が１つの担当アクセスポイントと通信するシステムに関するものであるが、端末が任意の数の担当アクセスポイントと通信できることを正しく認識すべきである。
【００４２】
１つの態様にしたがうと、端末４２０は、システム４００全体を通して分散させることができる。それぞれの端末４２０は、静的なもの、または、移動性のものとすることができる。非制限的な例によると、端末４２０は、アクセス端末（ＡＴ）、移動局、ユーザ機器、加入者局、および／または、別の適切なネットワークエンティティとすることができる。端末４２０は、ワイヤレスデバイス、セルラ電話機、パーソナルデジタルアシスタント（ＰＤＡ）、ワイヤレスモデム、ハンドヘルドデバイス、または別の適切なデバイスとすることができる。さらに、端末４２０は、任意の所定の瞬間に、任意の数の基地局４１０と通信することができるし、または、基地局４１０と通信することができない。
【００４３】
別の例では、システム４００は、１つ以上の基地局４１０に結合できるシステム制御装置４３０を使用することによって集中型アーキテクチャを利用し、基地局４１０に対する調整および制御を提供できる。代替的な態様にしたがうと、システム制御装置４３０は、単一ネットワークエンティティまたはネットワークエンティティの集まりとすることができる。さらに、システム４００は、分散型アーキテクチャを利用し、これにより、基地局４１０が、必要に応じて互いに通信することができる。バックホールネットワーク通信４３４は、このような分散型アーキテクチャを使用している基地局間のポイントツーポイント通信を促進することができる。１つの例では、システム制御装置４３０は、さらに、複数のネットワークに対する１つ以上の接続を含むことができる。これらのネットワークは、インターネット、他のパケットベースネットワーク、および／または回線切替音声ネットワークを含むことができ、これらは、システム４００において１つ以上の基地局４１０と通信している端末４０２への／端末４０２からの情報を提供することができる。別の例では、システム制御装置４３０は、端末４２０への／端末４２０からの送信をスケジューリングすることができる（示していない）スケジューラを備えることができる、または、このスケジューラに結合することができる。代替的に、スケジューラは、それぞれの個々のセル４０２中に、それぞれのセクタ４０２中に、またはこれらの組み合わせたもの中に存在することができる。
【００４４】
例では、システム４００は、ＣＤＭＡ、ＴＤＭＡ、ＦＤＭＡ、ＯＦＤＭＡ、単一搬送波ＦＤＭＡ（ＳＣ−ＦＤＭＡ）、および／または他の適切な多元接続スキームのような、１つ以上の多元接続スキームを利用することができる。ＴＤＭＡは、時分割多重化（ＴＤＭ）を利用し、異なる時間間隔で送信することによって、異なる端末４２０に対する送信を直交化する。ＦＤＭＡは、周波数分割多重化（ＦＤＭ）を利用し、異なる周波数副搬送波で送信することによって、異なる端末４２０に対する送信を直交化する。１つの例では、ＴＤＭＡおよびＦＤＭＡシステムは、コード分割多重化（ＣＤＭ）も使用することができ、たとえ、同じ時間間隔で、または、同じ周波数副搬送波で、異なる直交コード（例えば、ウォルシュコード）が送られたとしても、異なる直交コードを使用して、複数の端末に対する送信を直交化することができる。ＯＦＤＭＡは直交周波数分割多重化（ＯＦＤＭ）を利用し、ＳＣ−ＦＤＭＡは単一搬送波周波数分割多重化（ＳＣ−ＦＤＭ）を利用する。ＯＦＤＭおよびＳＣ−ＦＤＭは、システム帯域幅を複数の直交副搬送波（例えば、トーン、ビン、、、）に区分することができ、これらのそれぞれは、データで変調することができる。一般的に、変調シンボルは、ＯＦＤＭによる周波数ドメインで、そしてＳＣ−ＦＤＭによる時間ドメインで送られる。さらに、および／または代替的に、システム帯域幅を、１つ以上の周波数搬送波に分割することができ、これらのそれぞれは、１つ以上の副搬送波を含むことができる。システム４００はまた、ＯＦＤＭＡおよびＣＤＭＡのような多元接続スキームを組み合わせたものを利用することができる。ここで提供する電力制御技術は、一般的に、ＯＦＤＭＡシステムについて記述したが、ここで記述した技術は、同様に、任意のワイヤレス通信システムに適用できることを正しく認識すべきである。
【００４５】
別の例では、システム４００における基地局４１０および端末４２０は、１つ以上のデータチャネルを使用してデータを、１つ以上の制御チャネルを使用してシグナリングを通信することができる。それぞれのデータチャネルが、１つだけの端末によって、いつでも使用されるように、システム４００によって利用されるデータチャネルを、アクティブ端末４２０に割り当てることができる。代替的に、データチャネルを、複数の端末４２０に割り当てることができ、複数の端末４２０は、データチャネルを重畳できる、または、データチャネル上で直交的にスケジューリングできる。システムリソースを節約するために、システム４００によって利用される制御チャネルはまた、例えば、コード分割多重化を使用して複数の端末４２０間で共有することもできる。１つの例では、周波数および時間のみで直交的に多重化されるデータチャネル（例えば、ＣＤＭを使用して多重化されないデータチャネル）は、対応する制御チャネルに比べて、チャネル状態および受信機の欠陥が原因の直交性の損失に対する影響を少なくすることができる。
【００４６】
図５において、担当無線アクセスネットワーク（ＲＡＮ）が、進化基地ノード（ｅＮＢ）５００として図示されており、進化基地ノード（ｅＮＢ）５００は、コンピューティングプラットフォーム５０２を備えている。コンピューティングプラットフォーム５２０は、担当基地局または干渉基地局のいずれかとして、ワイヤレスセル間干渉消去をコンピュータに促進させるためのコードの組のような手段を提供する。特に、コンピューティングプラットフォーム５０２は、プロセッサ５２０によって実行される複数のモジュール５０６〜５１０を記憶するコンピュータ読み取り可能記憶媒体（例えば、メモリ）５０４を備えている。プロセッサ５２０によって制御される変調器５２２が、送信機５２４により変調され、アンテナ５２６によって放射されるダウンリンク信号を準備する。受信機５２８は、復調器５３０によって復調され、デコーディングのためにプロセッサ５２０に提供されるアップリンク信号をアンテナ５２６から受信する。特に、第２の識別子によりエンコードされた、干渉する第２のリンクも干渉基地局から受信する被担当ＵＥに対して、第１の識別子によりエンコードされた第１のリンクを送信するための手段（例えば、モジュール、１組のコード）５０６が提供されている。第２の識別子をＵＥに送信し、第１のリンクおよび第２のリンクのうちの１つをＵＥにおける受信信号から消去する能力を示すフィードバックをＵＥから受信するための手段（例えば、モジュール、１組のコード）５０８が提供されている。フィードバックに応答して、第１のリンクおよび第２のリンクのうちの１つの信号対干渉ノイズ比（ＳＩＮＲ）の相対的変化のために、送信の際の調整を生じさせるための手段（例えば、モジュール、１組のコード）５１０が提供されている。これにより、第２の識別子により第２のリンクをデコードし、第２の識別子により第２のリンクを再エンコードし、受信信号から第２のリンクを消去し、チャネル推定により受信信号から第１のリンクをデコードすることによって、より高いＳＩＮＲで受信したときに、第２のリンクの消去を実行して、ＵＥが強化される。好都合にも、送信（Ｔｘ）電力コンポーネント５３２が、送信電力を調整できる。受信信号インジケータ（ＲＳＩ）５３４が、信号強度を測定できる。
【００４７】
続いて図５を参照すると、移動局またはユーザ機器（ＵＥ）５５０は、コンピューティングプラットフォーム５５２を備えており、コンピューティングプラットフォーム５５２は、ワイヤレスセル間干渉消去をコンピュータに実行させるためのコードの組のような手段を提供する。特に、コンピューティングプラットフォーム５５２は、プロセッサ５７０によって実行される複数のモジュール５５６〜５６０を記憶するコンピュータ読み取り可能記憶媒体（例えば、メモリ）５５４を備えている。プロセッサ５７０により制御される変調器５７２は、送信機５７４により変調され、５７７において図示したようなアンテナ５７６によってｅＮＢ５００に対して放射されるアップリンク信号を準備する。受信機５７６は、復調器５６０によって復調され、デコーディングのためにプロセッサ５７０に提供される、ｅＮＢ５００からのダウンリンク信号をアンテナ５７６から受信する。特に、手段（例えば、モジュール、１組のコード）５５６は、第１のリンクをエンコードするために担当基地局によって使用された第１の識別子にアクセスするためのものである。手段（例えば、モジュール、１組のコード）５５７は、第２のリンクをエンコードするために干渉基地局によって使用された第２の識別子にアクセスするためのものである。手段（例えば、モジュール、１組のコード）５５８は、第１のリンクおよび第２のリンクを含む信号を受信するためのものである。手段（例えば、モジュール、１組のコード）５５９は、対応するＩＤにより第２のリンクを推定することによって第２のリンクを消去し、受信信号から第２のリンクを消去するためのものである。手段（例えば、モジュール、１組のコード）５６０は、チャネル推定によって、受信信号から第１のリンクをデコードするためのものである。
【００４８】
図６を参照すると、ワイヤレスセル間干渉消去を実行するシステム６００が図示されている。例えば、システム６００は、少なくとも部分的にユーザ機器（ＵＥ）内に存在することができる。機能ブロックを備えるようにシステム６００を表しているが、機能ブロックは、コンピューティングプラットフォーム、プロセッサ、ソフトウェア、またはこれらを組み合わせたもの（例えば、ファームウェア）によって実現される機能を表す機能ブロックとすることができることを正しく認識すべきである。システム６００は、ともに機能することができる電気コンポーネントの論理グルーピング６０２を備えている。例えば、論理グルーピング６０２は、第１のリンクをエンコードするために担当基地局によって使用された第１の識別子にアクセスする電気コンポーネント６０４を備えることができる。さらに、論理グルーピング６０２は、第２のリンクをエンコードするために干渉基地局によって使用された第２の識別子にアクセスする電気コンポーネント６０６を備えることができる。さらに、論理グルーピング６０２は、第１のリンクおよび第２のリンクを含む信号を受信する電気コンポーネント６０８を備えることができる。論理グルーピング６０２は、対応する識別子により第２のリンクを推定することによって第２のリンクを消去し、受信信号から第２のリンクを消去する電気コンポーネント６１０を備えることができる。論理グルーピング６０２は、チャネル推定によって、受信信号から第１のリンクをデコードする電気コンポーネント６１２を備えることができる。加えて、システム６００は、電気コンポーネント６０４〜６１２に関係する機能を実行するための命令を保持するメモリ６１４を備えることができる。メモリ６１４の外部にあるように示したが、電気コンポーネント６０４〜６１２のうちの１つ以上が、メモリ６１４内に存在することができることを正しく理解すべきである。
【００４９】
図７を参照すると、ワイヤレスセル間干渉消去を強化するシステム７００が図示されている。例えば、システム７００は、少なくとも部分的に基地局内に存在することができる。機能ブロックを備えるようにシステム７００を表しているが、機能ブロックは、コンピューティングプラットフォーム、プロセッサ、ソフトウェア、またはこれらを組み合わせたもの（例えば、ファームウェア）によって実現される機能を表す機能ブロックとすることができることを正しく認識すべきである。システム７００は、ともに機能することができる電気コンポーネントの論理グルーピング７０２を備えている。例えば、論理グルーピング７０２は、第２の識別子によりエンコードされた、干渉する第２のリンクも干渉基地局から受信するＵＥに対して、第１の識別子によりエンコードされた第１のリンクを送信する電気コンポーネント７０４を備えることができる。さらに、論理グルーピング７０２は、第２の識別子をＵＥに送信し、第１のリンクおよび第２のリンクのうちの１つをＵＥにおける受信信号から消去する能力を示すフィードバックをＵＥから受信する電気コンポーネント７０６を備えることができる。さらに、論理グルーピング７０２は、第２の識別子により第２のリンクをデコードし、第２の識別子により第２のリンクを再エンコードし、受信信号から第２のリンクを消去し、チャネル推定により受信信号から第１のリンクをデコードすることによって、より高いＳＩＮＲで受信したときに、ＵＥが第２のリンクの消去を実行し、フィードバックに応答して、第１のリンクおよび第２のリンクのうちの１つの信号対干渉ノイズ比（ＳＩＮＲ）の相対的変化のために、送信の際の調整を生じさせる電気コンポーネント７０８を備えることができる。加えて、システム７００は、電気コンポーネント７０４〜７０８に関係する機能を実行するための命令を保持するメモリ７１４を備えることができる。メモリ７１４の外部にあるように示したが、電気コンポーネント７０４〜７０８のうちの１つ以上が、メモリ７１４内に存在することができることを理解すべきである。
【００５０】
図８では、ワイヤレスセル間干渉消去のための装置８０２が提供されている。第１のリンクをエンコードするために担当基地局によって使用された第１の識別子にアクセスするための手段８０４が提供されている。第２のリンクをエンコードするために干渉基地局によって使用された第２の識別子にアクセスするための手段８０６が提供されている。第１のリンクおよび第２のリンクを含む信号を受信するための手段８０８が提供されている。対応する識別子により第２のリンクを推定することによって第２のリンクを消去し、受信信号から第２のリンクを消去するための手段８１０が提供されている。チャネル推定によって、受信信号から第１のリンクをデコードするための手段８１２が提供されている。
【００５１】
図９では、ワイヤレスセル間干渉消去が促進されるネットワークのための装置９０２が提供されている。第２の識別子によりエンコードされた、干渉する第２のリンクも干渉基地局から受信するノードに対して、第１の識別子によりエンコードされた第１のリンクを送信するための手段９０４が提供されている。第２の識別子をＵＥに送信し、ＵＥにおける受信信号から第１のリンクおよび第２のリンクのうちの１つを消去する能力を示すフィードバックをノードから受信するための手段９０６が提供されている。フィードバックに応答して、第１のリンクおよび第２のリンクのうちの１つの信号対干渉ノイズ比（ＳＩＮＲ）の相対的変化のために、送信の際の調整を生じさせるための手段９０８が提供されており、第２の識別子により第２のリンクをデコードし、第２の識別子により第２のリンクを再エンコードし、受信信号から第２のリンクを消去し、チャネル推定により受信信号から第１のリンクをデコードすることによって、より高いＳＩＮＲで受信したときに、ノードが第２のリンクの消去を実行する。
【００５２】
図１０では、非被担当ＵＥによってワイヤレスセル間干渉消去を促進させるための装置１００２が提供されている。第１の識別子によりエンコードされた第１のリンクを担当基地局が非被担当ノードに対して送信している間に、第２の識別子によりエンコードされた、干渉する第２のリンクを送信するための手段１００４が提供されている。非被担当ノードによる干渉消去を干渉する第２のリンクが要求することを示している通信を担当基地局から受信するための手段１００６が提供されている。第２の識別子を直接的または間接的に非被担当ＵＥに送信するための手段１００８が提供されている。非被担当ノードによる干渉消去を促進させるために、干渉する第２のリンクの送信を調整するための手段１０１０が提供されている。
【００５３】
明細書には、本発明の特定の例を記述しているが、当業者は、発明的概念から逸脱することなく、本発明のバリエーションを考案することができる。例えば、ここでの教示は、回線切替ネットワークエレメントに関連しているが、パケット切替ドメインネットワークエレメントに等しく適用可能である。
【００５４】
図１１を参照すると、ワイヤレスセル間干渉消去を強化するシステム１１００が図示されている。例えば、システム１１００は、少なくとも部分的に基地局内に存在することができる。機能ブロックを備えるようにシステム１１００を表しているが、機能ブロックは、コンピューティングプラットフォーム、プロセッサ、ソフトウェア、またはこれらを組み合わせたもの（例えば、ファームウェア）によって実現される機能を表す機能ブロックとすることができることを正しく認識すべきである。システム１１００は、ともに機能できる電気コンポーネントの論理グルーピング１１０２を備えている。例えば、論理グルーピング１１０２は、第１の識別子によりエンコードされた第１のリンクを担当基地局が非被担当ＵＥに対して送信している間に、第２の識別子によりエンコードされた、干渉する第２のリンクを送信する電気コンポーネント１１０４を備えることができる。さらに、論理グルーピング１１０２は、干渉する第２のリンクが、非被担当ＵＥによる干渉消去を要求することを示している通信を担当基地局から受信する電気コンポーネント１１０６を備えることができる。さらに、論理グルーピング１１０２は、第２の識別子を直接的または間接的に非被担当ＵＥに送信する電気コンポーネント１１０８を備えることができる。さらに、論理グルーピング１１０２は、非被担当ＵＥによる干渉消去を促進させるために、干渉する第２のリンクの送信を調整する電気コンポーネント１１１０を備えることができる。さらに、システム１１００は、電気コンポーネント１１０４〜１１１０に関係する機能を実行するための命令を保持するメモリ１１１４を備えることができる。メモリ１１１４の外部にあるように示したが、電気コンポーネント１１０４〜１１１０のうちの１つ以上はメモリ１１１４内に存在することができることを理解すべきである。
【００５５】
先述の理由により、１つの態様では、干渉を受けているＵＥが、干渉をエンコードした識別子を受信することにより恩恵を受けることができることを正しく認識すべきである。ＭＡＣ ＩＤまたはｃ−ＲＮＴＩのような識別子の受信は、好都合にも、干渉基地局から担当基地局をトンネルして、ＵＥに向けることができる。ＵＥまたは担当基地局により開始される要求によって、この送信を促すことができる。
【００５６】
別の態様では、ＯＦＤＭＡシステム向けのパイロット干渉消去をサポートすることができる。例えば、ＵＥは、基準信号を消去することができる、または、消去された基準信号（ＲＳ）を含むリソースエレメントに対して、異なる干渉推定を使用することができる。
【００５７】
さらなる態様では、制御干渉消去をサポートすることができる。例えば、ＵＥは、干渉セクタのＰＤＣＣＨをデコードすることができ、この干渉セクタのＰＤＣＣＨは受信ｃ−ＲＮＴＩに基づくことができる。さらに、ＵＥは、これをデコーディンした後、ＰＤＣＣＨを消去することができる。
【００５８】
別のさらなる態様では、セル間干渉調整（ＩＣＩＣ）は、デコードされたＰＤＣＣＨ割当に基づいて実行できる。
【００５９】
さらなる態様では、（１）限定された関係や、（２）範囲拡大（低い方のジオメオトリセル）や、（３）ディスジョイントリンクのような状況において、トラフィック干渉消去をサポートすることができる。例えば、ＵＥが、それぞれの状況においてＩＣＩＣを実行する。別の例として、担当基地局は、情報をＵＥから受信することによって、または、ディレクターのいずれかで、後消去ＳＩＮＲを決定でき、そして、干渉基地局に対してＵＥがハンドオーバーできることを決定できる。
【００６０】
その上、別の態様では、後消去ＳＩＮＲに基づくＣＱＩをサポートすることができる。ＵＥは、後消去ＳＩＮＲに基づいて、ＣＱＩをフィードバックする。いくつかのインスタンスでは、ＵＥは、前消去ＣＱＩも供給する。担当ｅＮＢスケジュールは、後消去ＩＣＩＣに基づくことができる。別のインスタンスでは、ＨＡＲＱが失敗したときに、前消去ＣＱＩが提供される。
【００６１】
その上さらなる態様では、制御チャネルのフィードバックをサポートする。ＵＥは、干渉セクタに対応するＣＱＩ／ＡＣＫをフィードバックする。担当基地局は、ＣＱＩ／ＡＣＫを干渉基地局にトンネルする。干渉基地局は、バックホール接続を通して、または、直接的に、のいずれかでＣＱＩ／ＡＣＫフィードバックを受信する。１つの例では、ＣＱＩ／ＡＣＫは、データに関連することがある。別の例では、ＣＱＩ／ＡＣＫは、ＰＤＣＣＨに関連することがある。さらなる例では、ＣＱＩ／ＡＣＫは、基準信号（ＲＳ）に関連することがある。ＩＣＩＣにおいてそのＵＥを支援するために、担当基地局は、（例えば、フィードバックに基づいて）その電力を変化（例えば、減少）させることができる。非被担当隣接ＵＥを支援するために、干渉基地局は、（例えば、フィードバックに基づいて）その電力を変化（例えば、増加）させることができる。
【００６２】
その上さらなる態様では、干渉基地局は、ＩＣＩＣを可能にするようにレートを制御することがある。１つのインスタンスでは、このレート制御はＰＤＣＣＨに関連することがある。別の態様では、レート制御はＰＤＳＣＨに関連することがある。ＵＥは、フィードバックを提供し、ＩＣＩＣを実行することができる。干渉基地局は、非被担当ＵＥが（例えば、フィードバックに基づいて）デコードできるレートを提供する。
【００６３】
例えば、先に説明した例示的な態様は、１つのインスタンスでは、送信ノードの役割を担い、そして別のインスタンスでは、干渉ノードの役割を担うように変化できるノードにより実現することができる。さらに、減少した送信電力要求に好ましく応答するように、ノードの感受性に関連して、公平性を与えることができる。代替的に、送信ノードおよび干渉ノードのうちの選択された１つとして機能するためだけに、ノードを提供することができる。
【００６４】
さまざまな、異なった技術および技法のうちの任意のものを使用して、情報および信号を表してもよいことを当業者は理解するだろう。上記の詳細な説明全体を通して参照した、例えば、データ、命令、コマンド、情報、信号、ビット、シンボルおよびチップは、電圧、電流、電磁波、磁気フィールドまたは微粒子、光学フィールドまたは光学微粒子、あるいはこれらの任意のものを組み合わせたものによって表わしてもよい。
【００６５】
ここに開示した例に関連して記述した、さまざまな例示的な論理的ブロック、モジュール、回路、方法およびアルゴリズムステップが、電子ハードウェア、コンピュータソフトウェア、あるいは双方を組み合わせたものとして実現されてもよいことを当業者はさらに正しく認識するだろう。ハードウェアおよびソフトウェアのこの互換性を明確に図示するために、さまざまな例示的なコンポーネント、ブロック、モジュール、回路、方法およびアルゴリズムを、一般的に、これらの機能性の観点から上記に記述した。このような機能性がハードウェアまたはソフトウェアとして実現されるか否かによって、特定のアプリケーションおよびシステム全体に課せられている設計制約が決まる。熟練者が、各特定のアプリケーションの方法を変化させて、記述してきた機能性を実現するかもしれないが、このようなインプリメンテーションの決定は、本発明の範囲からの逸脱を生じさせるものとして解釈されるべきでない。
【００６６】
本出願において使用されているような、「コンポーネント」、「モジュール」、「システム」という用語や、これらに類するものは、コンピュータ関連エンティティを含むことを意図しており、コンピュータ関連エンティティは、これらに限定されないが、例えば、ハードウェア、ファームウェア、ハードウェアおよびソフトウェアを組み合わせたもの、ソフトウェア、または実行中のソフトウェアのいずれのものである。例えば、コンポーネントは、プロセッサ上で実行しているプロセスや、プロセッサや、オブジェクトや、実行可能ファイルや、実行のスレッドや、プログラムや、および／またはコンピュータであってもよいが、これらに限定されない。例示によると、コンピューティングデバイス上で実行しているアプリケーションおよびコンピューティングデバイスの双方とも、コンポーネントであってもよい。１つ以上のコンポーネントは、実行のプロセスおよび／またはスレッド内に存在していてもよく、コンポーネントは、１つのコンピュータ上で局所化および／または２つ以上のコンピュータ間で分散されてもよい。さらに、これらのコンポーネントは、その上に記憶されたさまざまなデータ構造を有するさまざまなコンピュータ読み取り可能媒体から実行することができる。コンポーネントは、ローカルシステム中の、分散システム中の別のコンポーネントと対話する１つのコンポーネントからのデータ、および／または、インターネットのようなネットワークを通して信号により他のシステムと対話する１つのコンポーネントからのデータといった、１つ以上のデータパケットを有する信号にしたがうような、ローカルおよび／または遠隔のプロセスによって通信してもよい。
【００６７】
さらに、端末に関連してさまざまな態様をここで記述し、端末は、ワイヤード端末またはワイヤレス端末とすることができる。また、端末をシステム、デバイス、加入者ユニット、加入者局、移動局、移動体、移動体デバイス、遠隔局、遠隔端末、アクセス端末、ユーザ端末、端末、通信デバイス、ユーザエージェント、ユーザデバイス、またはユーザ機器（ＵＥ）と呼ぶことがある。ワイヤレス端末は、セルラ電話機、衛星電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続能力を有するハンドヘルドデバイス、コンピューティングデバイスまたはワイヤレスモデムに接続されている他の処理デバイスであってもよい。さらに、ここでは、基地局に関連してさまざまな態様を記述した。基地局は、ワイヤレス端末と通信するために利用され、アクセスポイント、ｅノードＢと呼ばれることもあり、他の何らかの専門用語で呼ばれることもある。
【００６８】
さらに、「または」という用語は、排他的な「または」というよりむしろ、包含的な「または」を意味することを意図している。すなわち、特定の明記がない限り、または、文脈から明らかでない限り、「ＸがＡまたはＢを用いる」というフレーズは、自然な包含的順列のうちのいずれかを意味することを意図している。すなわち、「ＸがＡまたはＢを用いる」というフレーズは、下記の例：ＸがＡを用いる；ＸがＢを用いる；または、ＸがＡおよびＢの双方を用いる、のうちのいずれのものによって適合される。さらに、本願明細書および添付した特許請求の範囲で使用している冠詞「ａ」および「ａｎ」は、特定の明記がない限り、または、単数形を意図する文脈から明らかでない限り、一般的に、「１つ以上」を意味すると解釈すべきである。
【００６９】
ＣＤＭＡや、ＴＤＭＡや、ＦＤＭＡや、ＯＦＤＭＡや、ＳＣ−ＦＤＭＡや、他のシステムのような、さまざまなワイヤレス通信システムに対して、ここで記述した技術を使用してもよい。「システム」および「ネットワーク」という用語は、互換性があるように使用することが多い。ＣＤＭＡシステムは、ユニバーサル地上無線アクセス（ＵＴＲＡ）、ｃｄｍａ２０００等のような無線技術を実現してもよい。ＵＴＲＡは、広帯域ＣＤＭＡ（Ｗ−ＣＤＭＡ）やＣＤＭＡの他の変形を含んでいる。さらに、ｃｄｍａ２０００は、ＩＳ−２０００、ＩＳ−９５、およびＩＳ−８５６標準規格をカバーしている。ＴＤＭＡシステムは、グローバルシステムフォーモバイル通信（ＧＳＭ（登録商標））のような無線技術を実現してもよい。ＯＦＤＭＡシステムは、進化したＵＴＲＡ（Ｅ−ＵＴＲＡ）や、ウルトラモバイルブロードバンド（ＵＭＢ）や、ＩＥＥＥ８０２．１１（Ｗｉ−Ｆｉ（登録商標））や、ＩＥＥＥ８０２．１６（ＷｉＭＡＸ）や、ＩＥＥＥ８０２．２０や、フラッシュ−ＯＦＤＭ（登録商標）等のような無線技術を実現してもよい。ＵＴＲＡおよびＥ−ＵＴＲＡは、ユニバーサル移動体電気通信システム（ＵＭＴＳ）の一部である。３ＧＰＰロングタームエボリューション（ＬＴＥ）は、Ｅ−ＵＴＲＡを使用するＵＭＴＳのリリースであり、ダウンリンク上ではＯＦＤＭＡを用い、アップリンク上ではＳＣ−ＦＤＭＡを用いる。ＵＴＲＡや、Ｅ−ＵＴＲＡや、ＵＭＴＳや、ＬＴＥや、ＧＳＭは、「第３世代パートナーシッププロジェクト」（３ＧＰＰ）と名付けられている機関による文書中に記述されている。付加的に、ｃｄｍａ２０００およびＵＭＢは、「第３世代パートナーシッププロジェクト２」（３ＧＰＰ２）と名付けられている機関による文書中に記述されている。さらに、このようなワイヤレス通信システムは、付加的に、ピア・ツー・ピア（例えば、移動体間）アドホックネットワークシステムを含んでいてもよく、ピア・ツー・ピア（例えば、移動体間）アドホックネットワークシステムは、対でない無認可のスペクトル、８０２．ｘｘワイヤレスＬＡＮ、ブルートゥース（登録商標）および他の何らかの短距離または長距離のワイヤレス通信技術を使用することが多い。
【００７０】
多数のデバイス、コンポーネント、モジュール、およびこれらに類するものを備えていてもよいシステムの観点から、さまざまな態様または特徴を示すことにする。さまざまなシステムが付加的なデバイス、コンポーネント、モジュール等を備えていてもよく、および／または、図面に関連して説明したデバイス、コンポーネント、モジュール等のすべてを備えていなくてもよいことを理解および正しく認識すべきである。これらのアプローチを組み合わせたものも使用してもよい。
【００７１】
ここに開示した実施形態に関連して記述した、さまざまな例示的な論理、論理的ブロック、モジュール、および回路は、汎用プロセッサ、デジタル信号プロセッサ（ＤＳＰ）、特定用途向け集積回路（ＡＳＩＣ）、フィールドプログラム可能ゲートアレイ（ＦＰＧＡ）または他のプログラム可能論理デバイス、ディスクリートゲートまたはトランジスタ論理、ディスクリートハードウェアコンポーネント、あるいは、ここに記述した機能を行うように設計されたこれらの任意のものを組み合わせたもので、実現されるか、あるいは行われてもよい。汎用プロセッサはマイクロプロセッサであってもよいが、代替実施形態では、プロセッサは、何らかの従来のプロセッサ、制御装置、マイクロ制御装置、または状態機械であってもよい。プロセッサはまた、コンピューティングデバイスを組み合わせたものとして、例えば、ＤＳＰとマイクロプロセッサを組み合わせたものとして、複数のマイクロプロセッサとして、ＤＳＰコアを備えた1つ以上のマイクロプロセッサとして、あるいは、このような構成の他の何らかのものとして実現してもよい。さらに、少なくとも１つのプロセッサは、上述したステップおよび／またはアクションのうちの１つ以上を実行するように動作可能な１つ以上のモジュールを備えていてもよい。
【００７２】
さらに、ここに開示した態様と関連して記述した方法またはアルゴリズムのステップおよび／またはアクションは、直接、ハードウェアで、プロセッサにより実行されるソフトウェアモジュールで、あるいは、２つのものを組み合わせたもので具体化されてもよい。ソフトウェアモジュールは、ＲＡＭメモリ、フラシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、あるいは技術的に知られている他の何らかの形態の記憶媒体中に存在していてもよい。例示的な記憶媒体は、プロセッサが記憶媒体から情報を読み取り、記憶媒体に情報を書き込むことができるようにプロセッサに結合されていてもよい。代替実施形態では、記憶媒体はプロセッサと一体化されてもよい。さらに、いくつかの態様では、プロセッサおよび記憶媒体は、ＡＳＩＣ中に存在していてもよい。付加的に、ＡＳＩＣは、ユーザ端末中に存在していてもよい。代替実施形態では、プロセッサおよび記憶媒体は、ユーザ端末において、ディスクリートコンポーネントとして存在していてもよい。付加的に、いくつかの態様では、方法またはアルゴリズムのステップおよび／またはアクションは、機械読み取り可能媒体上および／またはコンピュータ読み取り可能媒体上のコードおよび／または命令のうちの１つ、または、これらのものを任意に組み合わせたものまたは組として存在していてもよく、これらの媒体は、コンピュータプログラムプロダクトに組み込まれていてもよい。
【００７３】
１つ以上の態様では、記述した機能は、ハードウェア、ソフトウェア、ファームウェア、または、これらのものを任意に組み合わせたもので実現してもよい。ソフトウェアで実現される場合、機能は、コンピュータ読み取り可能媒体上で１つ以上の命令またはコードとして記憶または送信されてもよい。コンピュータ読み取り可能媒体は、１つの場所から別の場所へのコンピュータプログラムの転送を促進する何らかの媒体を含む通信媒体とコンピュータ記憶媒体との双方を含む。記憶媒体は、コンピュータによってアクセスできる任意の利用可能な媒体であってもよい。一例として、このようなコンピュータ読み取り可能媒体は、ＲＡＭ、ＲＯＭ、ＥＥＰＲＯＭ、ＣＤ−ＲＯＭ、あるいは、他の光ディスク記憶装置、磁気ディスク記憶装置、あるいは、他の磁気記憶デバイス、あるいは、命令またはデータ構造の形態で、所望のプログラムコードを運ぶまたは記憶するために使用でき、コンピュータによってアクセスできる他の何らかの媒体を含んでいてもよいが、これらに限定されない。また、あらゆる接続を、コンピュータ読み取り可能媒体と呼ぶことがある。例えば、同軸ケーブル、光ファイバケーブル、撚り対、デジタル加入者回線（ＤＳＬ）、または、赤外線、無線、およびマイクロ波のようなワイヤレス技術を使用して、ソフトウェアが、ウェブサイト、サーバ、または他の遠隔ソースから送信された場合に、同軸ケーブル、光ファイバケーブル、撚り対、ＤＳＬ、または赤外線、無線、マイクロ波のようなワイヤレス技術は、媒体の定義に含まれる。ここで使用したディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスクおよびブルーレイ（登録商標）ディスクを含み、ここでは、ディスク（ｄｉｓｋ）は、通常、データを磁気的に再生する一方で、ディスク（ｄｉｓｃ）は、通常、レーザによって光学的にデータを再生する。上記の組み合わせもまた、コンピュータ読み取り可能媒体の範囲に含められるべきである。
【００７４】
先述した開示は、例示的な態様および／または実施形態を説明しているが、特許請求の範囲によって規定したような、記述した態様および／または実施形態の範囲から逸脱することなく、ここで、さまざまな変更および改良を行うことができることに留意すべきである。さらに、記述した態様および／または実施形態のエレメントを単数で記述またはクレームされていてもよいが、単数形への限定が明示的に述べられていない限り、複数が意図されている。付加的に、任意の態様および／または実施形態のすべて、あるいは、任意の態様および／または実施形態の一部は、特に明記がない限り、他の何らかの態様および／または実施形態のすべて、あるいは、他の何らかの態様および／または実施形態の一部により利用されてもよい。
【図１】
2011527853.tif 000003
【図２】
2011527853.tif 000004
【図３】
2011527853.tif 000005
【図４】
2011527853.tif 000006
【図５】
2011527853.tif 000007
【図６】
2011527853.tif 000008
【図７】
2011527853.tif 000009
【図８】
2011527853.tif 000010
【図９】
2011527853.tif 000011
【図１０】
2011527853.tif 000012
【図１１】
2011527853.tif 000013
【国際調査報告】
2011527853.tif 000014
2011527853.tif 000015
2011527853.tif 000016
2011527853.tif 000017
2011527853.tif 000018